(57)【特許請求の範囲】
【請求項１】
過給器及び燃料を噴射する燃料噴射手段を備える内燃機関の制御装置であって、
前記内燃機関における吸気圧及び排気圧を検出する吸排気圧検出手段と、
前記内燃機関に設けられた吸気弁及び排気弁のバルブタイミングを制御する吸排気弁制御手段と、
前記吸気圧が前記排気圧より高く、且つ、前記吸気弁及び前記排気弁のバルブタイミングをオーバーラップさせている場合に、前記内燃機関に噴射される燃料の貫徹力が高くなるように前記燃料噴射手段を制御する貫徹力調整手段と
を備え、
前記燃料噴射手段は、前記内燃機関の吸気ポートに燃料を噴射するポート噴射手段、及び噴射する燃料の圧力が前記ポート噴射手段とは異なる第２噴射手段を含んでおり、
前記貫徹力調整手段は、前記ポート噴射手段により噴射された燃料が前記吸気弁と干渉しないように、前記ポート噴射手段による燃料の噴射タイミングを前記吸気弁の開弁時期に近づけることで前記貫徹力を高くし、且つ前記ポート噴射手段及び前記第２噴射手段の噴き分け率を、噴射する燃料の圧力が低い方の割合が小さくなるように変更することで前記貫徹力を高くする
ことを特徴とする内燃機関の制御装置。
【請求項２】
前記貫徹力調整手段は、前記燃料噴射手段によって噴射される燃料の圧力を高くすることで前記貫徹力を高くすることを特徴とする請求項１に記載の内燃機関の制御装置。
【請求項３】
前記内燃機関に供給すべき燃料を複数回に分割して噴射するように前記燃料噴射手段を制御する分割噴射制御手段を備え、
前記貫徹力調整手段は、前記分割噴射制御手段における分割回数を減らすことで前記貫徹力を高くする
ことを特徴とする請求項１又は２に記載の内燃機関の制御装置。
【発明の詳細な説明】
【技術分野】
【０００１】
本発明は、過給器を備えた内燃機関の制御装置の技術分野に関する。
【背景技術】
【０００２】
この種の内燃機関では、例えば燃焼室内部の排気が増加することで、燃焼状態が悪化する場合がある。このため、例えば特許文献１では、内燃機関における吸気圧が排気圧よりも高い場合に、吸気弁及び排気弁のバルブオーバーラップ量を増加させて掃気を行うという技術が提案されている。この方法によれば、スカベンジ効果によって燃焼室内部が掃気され、燃焼室における排気の増加を低減することができるとされている。
【０００３】
他方で、例えば特許文献２では、バルブオーバーラップを行う場合の燃料噴射制御として、燃料の噴射圧力を高くすることで燃焼室から吸気ポートへの吹き返しを低減しようとする技術が提案されている。
【先行技術文献】
【特許文献】
【０００４】
【特許文献１】特開２００９−２９３５１６号公報
【特許文献２】特開２００６−０３７８４７号公報
【発明の概要】
【発明が解決しようとする課題】
【０００５】
上述した特許文献１に記載されている技術のように、吸気弁及び排気弁をオーバーラップさせる方法を利用する場合には、オーバーラップ中に燃料を噴射せざるを得ない状況が生じ得る。例えば、内燃機関の高負荷及び高回転領域では、排気弁の閉弁前に燃料噴射を開始することが求められる。しかしながら、オーバーラップ中に燃料を噴射すると、燃焼室から掃気すべき排気に加えて、噴射されたばかりの未燃燃料までもが排気系へ吹き抜けてしまうおそれがある。即ち、オーバーラップ量を増加させることで得られるスカベンジ効果によって、燃焼室に留まるべき燃料（即ち、燃焼室で燃焼されるべき燃料）までもが直ちに排出されてしまうという技術的問題点が生ずる。
【０００６】
本発明は、上述した問題点に鑑みなされたものであり、未燃燃料の排気系への吹き抜けを低減することが可能な内燃機関の制御装置を提供することを課題とする。
【課題を解決するための手段】
【０００７】
本発明の内燃機関の制御装置は上記課題を解決するために、過給器及び燃料を噴射する燃料噴射手段を備える内燃機関の制御装置であって、前記内燃機関における吸気圧及び排気圧を検出する吸排気圧検出手段と、前記内燃機関に設けられた吸気弁及び排気弁のバルブタイミングを制御する吸排気弁制御手段と、前記吸気圧が前記排気圧より高く、且つ、前記吸気弁及び前記排気弁のバルブタイミングをオーバーラップさせている場合に、前記内燃機関に噴射される燃料の貫徹力が高くなるように前記燃料噴射手段を制御する貫徹力調整手段とを備え、前記燃料噴射手段は、前記内燃機関の吸気ポートに燃料を噴射するポート噴射手段、及び噴射する燃料の圧力が前記ポート噴射手段とは異なる第２噴射手段を含んでおり、前記貫徹力調整手段は、前記ポート噴射手段により噴射された燃料が前記吸気弁と干渉しないように、前記ポート噴射手段による燃料の噴射タイミングを前記吸気弁の開弁時期に近づけ、且つ前記ポート噴射手段及び前記第２噴射手段の噴き分け率を、噴射する燃料の圧力が低い方の割合が小さくなるように変更することで前記貫徹力を高くする。
【０００８】
本発明に係る内燃機関は、例えば車両に搭載されたガソリンエンジン等の内燃機関であり、気筒内部の燃焼室において燃料を含む混合気が燃焼した際に発生する力を、ピストン、コネクティングロッド及びクランク軸等の物理的又は機械的な伝達手段を適宜介して駆動力として取り出すことが可能に構成されている。また本発明に係る内燃機関は、過給器及び燃料噴射手段を備えている。
【０００９】
過給器は、例えば排気通路に設けられたタービンにより排気熱を回収してコンプレッサを駆動する所謂ターボチャージャや、このタービンを電気モータ等により駆動する所謂ＭＡＴ（Motor Assist Turbo）や、タービンハウジングに設けられたノズルベーンを開閉駆動して過給効率を可変とするＶＮＴ（Variable Nozzle Turbo）や、同様にコンプレッサハウジングに設けられたノズルベーンを開閉駆動して過給効率を可変とするＶＧＣ（Variable Geometry Compressor）等を含み得る。
【００１０】
燃料噴射手段は、内燃機関の燃焼に用いるガソリン、軽油及びアルコール燃料等の燃料を噴射するインジェクタ等を含んでいる。燃料噴射手段は、例えば内燃機関の気筒内部に直接燃料を噴射する直噴型のものであってもよいし、吸気ポートに燃料を噴射するポート噴射型のものであってもよい。
【００１１】
本発明に係る内燃機関の制御装置は、上述した内燃機関を制御する制御装置であって、例えば、一又は複数のＣＰＵ（Central Processing Unit）、ＭＰＵ（Micro Processing Unit）、各種プロセッサ又は各種コントローラ、或いは更にＲＯＭ（Read Only Memory）、ＲＡＭ（Random Access Memory）、バッファメモリ又はフラッシュメモリ等の各種記憶手段等を適宜に含み得る、単体の或いは複数のＥＣＵ（Electronic Controlled Unit）等の各種処理ユニット、各種コントローラ或いはマイコン装置等各種コンピュータシステム等の形態を採り得る。
【００１２】
本発明に係る内燃機関の制御装置では、その動作時に、吸排気圧検出手段によって、内燃機関における吸気圧及び排気圧が検出される。吸排気圧検出手段は、例えば吸気圧センサ及び排気圧センサを含んで構成される。但し、ここでの吸排気圧検出手段は、吸気圧及び排気圧の具体的な数値を検出するものでなくとも、後述するように、吸気圧が排気圧より高い状態であるか否かを検出できるものであればよい。
【００１３】
また本発明に係る内燃機関の制御装置によれば、吸排気弁制御手段によって、内燃機関に設けられた吸気弁及び排気弁のバルブタイミングが制御される。吸排気弁制御手段は、例えば吸気弁の開弁及び閉弁時期、並びに排気弁の開弁及び閉弁時期を、内燃機関の運転状況等に応じて適宜進角又は遅角側に調整する。また本発明に係る吸排気弁制御手段は特に、吸気弁及び排気弁のバルブタイミングをオーバーラップさせることが可能とされている。即ち、吸気弁及び排気弁の両方が開弁する期間を実現することが可能とされている。
【００１４】
本発明では特に、上述した吸排気検出手段によって吸気圧が排気圧より高いことが検出されており、且つ、吸排気弁制御手段によって吸気弁及び排気弁のバルブタイミングをオーバーラップさせている場合に、貫徹力調整手段によって、内燃機関に噴射される燃料の貫徹力が高くなるように燃料噴射手段が制御される。燃料の貫徹力は、例えば噴射される燃料の圧力を高くする、複数の噴射方式を有する場合に燃圧の高い方式の噴射割合を高くする、或いは燃料の分割噴射回数を減らす等の方法で高くすることができる。
【００１５】
ここで、内燃機関における吸気圧が排気圧より高い場合に、吸気弁及び排気弁のバルブタイミングをオーバーラップさせると、スカベンジ効果によって気筒内部が掃気され、燃焼状態の悪化を防止することができる。しかしながら、このようなオーバーラップ中に燃料を噴射する場合、気筒内部から掃気すべき排気に加えて、噴射されたばかりの未燃燃料までもが排気系へ吹き抜けてしまうおそれがある。即ち、スカベンジ効果によって、気筒内部に留まるべき燃料（即ち、気筒内部で燃焼されるべき燃料）までもが直ちに排出されてしまう。
【００１６】
しかるに本発明では、上述したように、内燃機関における吸気圧が排気圧より高く、且つ、吸気弁及び排気弁のバルブタイミングをオーバーラップさせている場合（以下、適宜「スカベンジ中」と称する）には、燃料噴射手段から噴射される燃料の貫徹力が高くされる。よって、スカベンジ効果によって、掃気されるべきでない未燃燃料までもが排気側へ吹き抜けてしまうことを低減できる。尚、噴射される燃料の貫徹力は、不都合を生じない範囲で可能な限り高くされることが望ましいが、通常の燃料噴射時の貫徹力よりも多少なりとも高くすることができれば、上述した効果は相応に得られる。
【００１７】
以上説明したように、本発明に係る内燃機関の制御装置によれば、未燃燃料の排気系への吹き抜けを低減することが可能である。
【００１８】
本発明の内燃機関の制御装置の一態様では、前記貫徹力調整手段は、前記燃料噴射手段によって噴射される燃料の圧力を高くすることで前記貫徹力を高くする。
【００１９】
この態様によれば、スカベンジ中には、貫徹力調整手段によって燃料噴射手段から噴射される燃料の圧力が高くされる。即ち、スカベンジ中の燃料噴射手段からは、通常の燃料噴射時と比べて高い圧力で燃料が噴射される。このようにすれば、燃料の圧力が高くなる分だけ燃料の貫徹力が高められるため、スカベンジ効果による未燃燃料の排気系への吹き抜けを確実に低減することが可能である。
【００２０】
本発明の内燃機関の制御装置の他の態様では、前記燃料噴射手段は、噴射する燃料の圧力が互いに異なる第１噴射手段及び第２噴射手段を含んでおり、前記貫徹力調整手段は、前記第１噴射手段及び前記第２噴射手段の噴き分け率を、噴射する燃料の圧力が低い方の割合が小さくなるように変更することで前記貫徹力を高くする。
【００２１】
この態様によれば、燃料噴射手段は、噴射する燃料の圧力が互いに異なる第１噴射手段及び第２噴射手段を含んで構成される。第１噴射手段及び第２噴射手段の一例としては、例えば気筒内部に直接燃料を噴射する直噴型の噴射手段、及び吸気ポートに燃料を噴射するポート噴射型の噴射手段等が挙げられる。
【００２２】
本態様では特に、スカベンジ中には、貫徹力調整手段によって、第１噴射手段及び第２噴射手段の噴き分け率が噴射する燃料の圧力が低い方の割合が小さくなるように変更される。言い換えれば、噴射する燃料の圧力が高い方の割合が大きくなるように噴き分け率が変更される。例えば、上述した直噴型の噴射手段及びート噴射型の噴射手段の場合、噴射する燃料の圧力が比較的高い直噴型の噴射手段の割合は大きくされ、噴射する燃料の圧力が比較的低いポート噴射型の噴射手段の割合は小さくされる。
【００２３】
上述したように噴き分け率を変更すれば、燃料の圧力が低い方の割合が小さくされる分、噴射される燃料の全体としての圧力は高くなる。よって、燃料の貫徹力が高められ、スカベンジ中における未燃燃料の排気系への吹き抜けを確実に低減することが可能である。
【００２４】
尚、燃料噴射手段が、第１噴射手段及び第２噴射手段に加えて、第３、第４、・・・の噴射手段を含む場合であっても、燃料の圧力がより低い方の割合が小さくなるよう噴き分け率を変更すれば、上述したように噴射される燃料の全体としての圧力が高められ、燃料の貫徹力を高くすることができる。
【００２５】
本発明の内燃機関の制御装置の他の態様では、前記内燃機関に供給すべき燃料を複数回に分割して噴射するように前記燃料噴射手段を制御する分割噴射制御手段を備え、前記貫徹力調整手段は、前記分割噴射制御手段における分割回数を減らすことで前記貫徹力を高くする。
【００２６】
この態様によれば、分割噴射制御手段によって、内燃機関に供給すべき燃料を複数回に分割して噴射するように燃料噴射手段が制御される。そして特に、スカベンジ中には、貫徹力調整手段によって、分割回数を減らすように分割噴射制御手段が制御される。これにより、燃料噴射手段における１回当たりの噴射量は増加することになる。よって、噴射される燃料の圧力が高くなり、結果として燃料の貫徹力が高められる。従って、スカベンジ中における未燃燃料の排気系への吹き抜けを確実に低減することが可能である。
【００２７】
本発明の内燃機関の制御装置の他の態様では、前記燃料噴射手段は、前記内燃機関の吸気ポートに燃料を噴射するポート噴射手段を含んでおり、前記貫徹力調整手段は、前記ポート噴射手段による燃料の噴射タイミングを、前記吸気弁の開弁時期に近づけることで前記貫徹力を高くする。
【００２８】
この態様によれば、燃料噴射手段は、吸気ポートに燃料を噴射するポート噴射手段から燃料を噴射することが可能とされている。尚、燃料噴射手段は、ポート噴射手段以外の噴射手段を含んでいても構わない。
【００２９】
本態様では特に、スカベンジ中には、貫徹力調整手段によって、ポート噴射手段による燃料の噴射タイミングが吸気弁の開弁時期に近づけられる。よって、ポート噴射手段から噴射された燃料が閉じられた吸気弁と干渉し、貫徹力が弱まってしまうことを低減できる。従って、燃料の貫徹力を通常より高くすることができる。
【００３０】
尚、ポート噴射手段からの燃料噴射は、通常は（即ち、スカベンジ中以外の期間では）吸気弁の閉弁時期に行われる。よって、ポート噴射手段からの燃料噴射を全て吸気弁の開弁時期に行うようにせずとも、部分的に吸気弁の開弁時期と重複して行われるようにすれば、上述した効果は相応に得られる。
【００３１】
本発明の作用及び他の利得は次に説明する発明を実施するための形態から明らかにされる。
【図面の簡単な説明】
【００３２】
【図１】エンジンシステムの全体構成を示す概略図である。
【図２】エンジンの一断面構成を例示する模式図である。
【図３】ＥＣＵの構成を示すブロック図である。
【図４】スカベンジ判定処理を示すフローチャートである。
【図５】スカベンジ中の燃料噴射制御処理を示すフローチャートである。
【図６】要求スカベンジ量と燃料噴き分け率との相関を示すグラフである。
【図７】要求スカベンジ量と吸気ポートへの燃料噴射時期との相関を示すグラフである。
【図８】要求スカベンジ量と直噴燃料の燃圧との相関を示すグラフである。
【図９】要求スカベンジ量と分割噴射の回数との相関を示すグラフである。
【発明を実施するための形態】
【００３３】
以下では、本発明の実施形態について図を参照しつつ説明する。
【００３４】
先ず、本実施形態に係るエンジンシステム全体の構成について、図１を参照して説明する。ここに図１は、エンジンシステムの全体構成を示す概略図である。尚、図１では、説明の便宜上、エンジンシステムを構成する各要素のうち本実施形態と関わりの深いもののみを選択的に図示しており、その他の要素については適宜図示を省略してある。
【００３５】
図１において、本実施形態に係るエンジンシステムは、ＥＣＵ１００と、コンプレッサ１１０と、タービン１２０と、エンジン２００とを備えている。
【００３６】
ＥＣＵ１００は、本発明の「内燃機関の制御装置」の一例であり、例えばＣＰＵ（Central Processing Unit）、ＲＯＭ（Read Only Memory）及びＲＡＭ（Random Access Memory）等を備え、エンジンシステムの動作全体を制御する電子制御ユニットである。ＥＣＵ１００は、例えばＲＯＭ等に格納された制御プログラムに従って各種制御を実行可能に構成されている。ＥＣＵ１００の具体的な構成については、後に詳述する。
【００３７】
コンプレッサ１１０は、流入された空気を圧縮し、圧縮空気として下流に供給する。タービン１２０は、エンジン２００から排気管２１５を介して供給された排気を動力として回転する。タービン１１０は、シャフトを介してコンプレッサ１１０に連結されており、相互に一体に回転することが可能に構成されている。即ち、タービン１２０とコンプレッサ１１０とによって、本発明に係る「過給器」の一例であるターボチャージャが構成される。
【００３８】
エンジン２００は、例えば自動車等の車両の動力源たるガソリンエンジンであり、本発明に係る「内燃機関」の一例である。エンジン２００は、シリンダブロック内に気筒２０１が４本直列に配置されてなる直列４気筒ガソリンエンジンである。
【００３９】
エンジン２００における吸気側（即ち、気筒２０１より上流側）には、エアクリーナ１０１、吸気制御弁１０３、コンプレッサ１１０、インタークーラ１１３及びスロットル弁２０８が設けられている。
【００４０】
エアクリーナ１０１は、外部から吸入した空気を浄化し、吸気管１０２を介して、コンプレッサ１１０へと供給する。コンプレッサ１１０の下流に設けられたインタークーラ１１３は、吸入空気を冷却して空気の過給効率を上昇させることが可能に構成されている。インタークーラ１１３の下流には、スロットルバルブ２０８が設置されている。
【００４１】
吸気側から気筒２０１内部に導かれた混合気は、不図示の点火装置による点火動作によって点火せしめられ、気筒２０１内で爆発工程が行われる。爆発工程が行われると、燃焼済みの混合気（一部未燃状態の混合気を含む）は、爆発工程に続く排気工程において、不図示の排気ポートに排出される。排気ポートに排出された排気は、排気管２１５に導かれる。
【００４２】
エンジン２００における排気側（即ち、気筒２０１より下流側）には、ＨＰＬＥＧＲ管１１７と、ＨＰＬＥＧＲ制御弁１１８と、タービン１２０と、三元触媒１２２と、ＬＰＬＥＧＲ管１２３と、ＬＰＬＥＧＲ制御弁１２４とが設けられている。
【００４３】
ＨＰＬＥＧＲ管１１７は、エンジン２００から排出された排気管２１５における排気を、エンジン２００の吸気側である吸気管２０７に還流可能である。ＨＰＬＥＧＲ管１１７には、ＨＰＬＥＧＲ制御弁１１８が設けられており、ＥＧＲガスの量が調節可能とされている。ＨＰＬＥＧＲ制御弁１１８は、例えば全開及び全閉の二値的な開閉状態を採り得る電磁開閉弁であり、ＥＣＵ１００と電気的に接続されることによって、その開閉状態がＥＣＵ１００により制御される構成となっている。
【００４４】
三元触媒１２２は、排気管１２１上に設けられており、タービン１２０を通過した排気中に含まれるＨＣ（炭化水素）、ＣＯ２（二酸化炭素）及びＮＯｘ（窒素酸化物）を夫々浄化する。
【００４５】
ＬＰＬＥＧＲ管１２３は、三元触媒１２２の下流の排気を、コンプレッサ１１０の入口側である吸気管１０２に還流可能である。ＬＰＬＥＧＲ管１２３には、ＬＰＬＥＧＲ制御弁１２４が設けられており、ＥＧＲガスの量が調節可能とされている。ＬＰＬＥＧＲ制御弁１２４は、ＨＰＬＥＧＲ制御弁１１８と同様に、例えば全開及び全閉の二値的な開閉状態を採り得る電磁開閉弁であり、ＥＣＵ１００と電気的に接続されることによって、その開閉状態がＥＣＵ１００により制御される構成となっている。
【００４６】
次に、本実施形態に係るエンジン２００の構成について、図２を参照してより詳細に説明する。ここに図２は、エンジンの一断面構成を例示する模式図である。尚、図２では、図１で示したエンジンシステムを構成する各部材を適宜省略して図示している。
【００４７】
図２において、エンジン２００は、気筒２０１内において燃焼室に点火プラグ（符号省略）の一部が露出してなる点火装置２０２による点火動作を介して混合気を燃焼せしめると共に、係る燃焼による爆発力に応じて生じるピストン２０３の往復運動を、コネクティングロッド２０４を介して、クランクシャフト２０５の回転運動に変換することが可能に構成されている。
【００４８】
クランクシャフト２０５近傍には、クランクシャフト２０５の回転位置（即ち、クランク角）を検出するクランクポジションセンサ２０６が設置されている。このクランクポジションセンサ２０６は、ＥＣＵ１００と電気的に接続されており、ＥＣＵ１００では、このクランクポジションセンサ２０６から出力されるクランク角信号に基づいて、クランクシャフト２０５の角速度及びエンジン２００の機関回転数Ｎｅが算出される構成となっている。
【００４９】
エンジン２００において、外部から吸入された空気は吸気管２０７を通過し、吸気ポート２１０を介して吸気バルブ２１１の開弁時に気筒２０１内部へ導かれる。一方、吸気ポート２１０には、本発明に係る「ポート噴射手段」の一例たる吸気ポートインジェクタ２１２ａの燃料噴射弁が露出しており、吸気ポート２１０に対し燃料を噴射することが可能な構成となっている。吸気ポートインジェクタ２１２から噴射された燃料は、吸気バルブ２１１の開弁時期に前後して吸入空気と混合され、上述した混合気となる。燃料は、図示せぬ燃料タンクに貯留されており、図示せぬフィードポンプの作用により、図示せぬデリバリパイプを介して吸気ポートインジェクタ２１２ａに圧送供給されている。
【００５０】
気筒２０１内部と吸気管２０７とは、吸気バルブ２１０の開閉によってその連通状態が制御されている。気筒２０１内部で燃焼した混合気は排気となり吸気バルブ２１０の開閉に連動して開閉する排気バルブ２１３の開弁時に排気ポート２１４を介して排気管２１５に導かれる。
【００５１】
一方、吸気管２０７における、吸気ポート２１０の上流側には、吸入空気量を調節可能なスロットルバルブ２０８が配設されている。このスロットルバルブ２０８は、ＥＣＵ１００と電気的に接続されたスロットルバルブモータ２０９によってその駆動状態が制御される構成となっている。
【００５２】
尚、ＥＣＵ１００は、基本的には不図示のアクセルペダルの開度（即ち、上述したアクセル開度Ｔａ）に応じたスロットル開度が得られるようにスロットルバルブモータ２０９を制御するが、スロットルバルブモータ２０９の動作制御を介してドライバの意思を介在させることなくスロットル開度を調整することも可能である。即ち、スロットルバルブ２０８は、一種の電子制御式スロットルバルブとして構成されている。
【００５３】
吸気ポート２１０には、吸気圧を検出する吸気圧センサ２１６ａが設けられている。一方、排気ポート２１４には、排気圧を検出する排気圧センサ２１６ｂが設けられている。これら吸気圧センサ２１６ａ及び排気圧センサ２１６ｂは、夫々ＥＣＵ１００と電気的に接続されており、検出された吸気圧及び排気圧は、夫々ＥＣＵ１００により一定又は不定の検出周期で把握される構成となっている。
【００５４】
排気管２１５には、エンジン２００の排気空燃比を検出することが可能に構成された空燃比センサ２１７が設置されている。更に、気筒２０１を収容するシリンダブロックに設置されたウォータージャケットには、エンジン２００を冷却するために循環供給される冷却水（ＬＬＣ）に係る冷却水温を検出するための水温センサ２１８が配設されている。これら空燃比センサ２１７及び水温センサ２１８は、夫々ＥＣＵ１００と電気的に接続されており、検出された空燃比及び冷却水温は、夫々ＥＣＵ１００により一定又は不定の検出周期で把握される構成となっている。
【００５５】
ここで、エンジン２００には、上述の吸気ポートインジェクタ２１２ａに加えて、直噴インジェクタ２１２ｂが備わっている。直噴インジェクタ２１２ｂは、燃焼室に噴射ノズルが露出する燃料噴射弁を有しており、高温高圧の燃焼室内に燃料たるガソリンを気化させた状態で直噴燃料として噴射することが可能である。直噴インジェクタ２１２ｂは、ＥＣＵ１００と電気的に接続されており、ＥＣＵ１００によりその駆動状態が制御される構成となっている。
【００５６】
尚、補足すると、この直噴インジェクタ２１２ｂからの直噴燃料を用いた燃焼制御としては、例えば、希薄空燃比下における成層燃焼制御や、吸気行程同期噴射による均質燃焼制御等がある。前者は、点火装置２０２の点火プラグ近傍に直噴燃料の噴霧を偏在させることにより、気筒内部を希薄空燃比とすることを可能とした制御であり、他方は、例えば予混合された燃料を理論空燃比近傍の空燃比下で燃焼させる制御である。
【００５７】
次に、本実施形態に係る内燃機関の制御装置であるＥＣＵ１００の具体的な構成について、図３を参照して説明する。ここに図３は、ＥＣＵの構成を示すブロック図である。
【００５８】
図３において、ＥＣＵ１００は、吸排気圧検出部３１０と、スカベンジ判定部３２０と、バルブタイミング制御部３３０と、貫徹力制御部３４０と、燃料噴射制御部３５０とを備えて構成されている。尚、貫徹力制御部３４０は、噴き分け率調整部３４１と、ＰＦＩ（Port Fuel Injection）噴射時期調整部３４２と、ＤＩ（Direct Injection）燃圧調整部３４３と、ＤＩ分割回数調整部３４４とを備えている。
【００５９】
吸排気圧検出部３１０は、本発明に係る「吸排気圧検出手段」の一例であり、吸気圧センサ２１６ａ及び排気圧センサ２１６ｂ（図２参照）を利用してエンジン２００における吸気圧及び排気圧を検出する。吸排気圧検出部３１０において検出された吸気圧及び排気圧の値は、スカベンジ判定部３２０へと伝達される。
【００６０】
スカベンジ判定部３２０は、上述した吸排気圧検出部３１０において検出された吸気圧及び排気圧の値、並びに外部から入力される各種判定情報に基づいて、エンジン２００におけるスカベンジを行うか否かを判定する。尚、ここでのスカベンジとは、吸気圧より排気圧が高い場合に、吸気バルブ２１０及び排気バルブ２１３をオーバーラップさせることで実現される、気筒２０１内部の掃気を意味している。スカベンジ判定部３２０は、スカベンジを行うか否かに応じて、バルブタイミング制御部３３０及び貫徹力調整部３４０を夫々制御する。
【００６１】
バルブタイミング制御部３３０は、本発明の「バルブタイミング制御手段」の一例であり、吸気バルブ２１０及び排気バルブ２１３のバルブタイミング（即ち、開弁時期及び閉弁時期）を制御可能に構成されている。
【００６２】
貫徹力調整部３４０は、本発明の「貫徹力調整手段」の一例であり、ポート噴射インジェクタ２１２ａ及び直噴インジェクタ２１２ｂから噴射される燃料の貫徹力を夫々調整可能に構成されている。噴き分け率調整部３４１は、ポート噴射インジェクタ２１２ａ及び直噴インジェクタ２１２ｂの噴き分け率（即ち、ポート噴射インジェクタ２１２ａ及び直噴インジェクタ２１２ｂ各々の噴射量の割合）を調整する。ＰＦＩ噴射時期調整部３４２は、ポート噴射インジェクタ２１２ａの燃料噴射時期を調整する。ＤＩ燃圧調整部３４３は、直噴インジェクタ２１２ｂから噴射される燃料の圧力を調整する。ＤＩ分割回数調整部３４４は、直噴インジェクタ２１２ｂが行う分割噴射の分割回数を調整する。
【００６３】
燃料噴射制御部３５０は、貫徹力調整部１４０によって調整された各種条件で燃料を噴射するようポート噴射インジェクタ２１２ａ及び直噴インジェクタ２１２ｂを制御する。
【００６４】
上述した各部位を含んで構成されたＥＣＵ１００は、一体的に構成された電子制御ユニットであり、上記各部位に係る動作は、全てＥＣＵ１００によって実行されるように構成されている。但し、本発明に係る上記部位の物理的、機械的及び電気的な構成はこれに限定されるものではなく、例えばこれら各部位は、複数のＥＣＵ、各種処理ユニット、各種コントローラ或いはマイコン装置等各種コンピュータシステム等として構成されていてもよい。
【００６５】
次に、本実施形態に係る内燃機関の制御装置であるＥＣＵ１００が行う処理及びその効果について、図４から図９を参照して説明する。
【００６６】
先ず、ＥＣＵ１００が行うスカベンジを行うか否かの判定処理について、図４を参照して説明する。ここに図４は、スカベンジ判定処理を示すフローチャートである。
【００６７】
図４において、ＥＣＵ１００では、スカベンジを行うか否かを判定する際に、先ず吸排気圧検出部３１０によってエンジン２００の吸気圧及び排気圧が検出される（ステップＳ１０１）。吸気圧及び排気圧が検出されると、スカベンジ判定部３２０では、吸気圧が排気圧より高いか否かが判定される（ステップＳ１０２）。
【００６８】
ここでスカベンジは、上述したように吸気圧が排気圧より高いことで得られるスカベンジ効果を利用して、排気側に気筒２０１内部のガスを排出するものである。よって、吸気圧が排気圧より低い場合は、スカベンジを行うことができない。よって、吸気圧が排気圧より低いと判定された場合（ステップＳ１０２：ＮＯ）、スカベンジが開始されずに処理は終了する。
【００６９】
一方、吸気圧が排気圧より高いと判定された場合（ステップＳ１０２：ＹＥＳ）、スカベンジ判定部３２０では、その他のスカベンジ開始条件が満たされているか否かが判定される（ステップＳ１０３）。尚、その他の開始条件としては、例えば気筒２０１内部の推定排気量や、エンジン２００における運転状況等が挙げられる。
【００７０】
スカベンジ開始条件が満たされていない場合（ステップＳ１０３：ＮＯ）、スカベンジは開始されずに処理が終了する。一方、スカベンジ開始条件が満たされている場合（ステップＳ１０３：ＹＥＳ）、スカベンジ判定部３２０では、要求スカベンジ量（即ち、スカベンジによって掃気すべき量）が決定される（ステップＳ１０４）。スカベンジ判定部３２０は、例えばスカベンジを行うか否かを判定する際に用いた各種パラメータに基づいて、要求スカベンジ量を決定する。
【００７１】
要求スカベンジ量が決定されると、バルブタイミング制御部３３０が制御され、要求スカベンジ量に応じて、吸気バルブ２１０及び排気バルブ２１３のバルブタイミングが夫々変更される（ステップＳ１０５）。具体的には、要求スカベンジ量が多いほど、吸気バルブ２１０及び排気バルブ２１３のバルブオーバーラップ期間が大きくされる。
【００７２】
次に、ＥＣＵ１００が行うスカベンジ中の燃料噴射制御処理について、図５を参照して説明する。ここに図５は、スカベンジ中の燃料噴射制御処理を示すフローチャートである。
【００７３】
図５において、スカベンジが開始されると、先ずエンジン２００が高回転及び高負荷状態であるか否かが判定される（ステップＳ２０１）。エンジン２００が高回転及び高負荷状態である場合には、エンジン２００に対する燃料の噴射量が増加すると考えられる。よって、エンジン２００が高回転及び高負荷状態であるか否かは、燃料噴射制御部３５０における燃料の噴射量が所定の閾値を超えているか否かで判定できる。
【００７４】
ここで、エンジン２００が高回転及び高負荷状態である場合は、インターバル確保のため上死点付近で燃料を噴射することが求められる。この場合、仮に何らの対策も施さなければ、気筒２０１の内部に噴射されたばかりの未燃燃料が、スカベンジ効果によって排気側に吹き抜けてしまうおそれがある。一方で、エンジン２００が高回転及び高負荷状態でない場合は、上死点付近で燃料を噴射することは求められない。よって、気筒２０１の内部に噴射されたばかりの未燃燃料が、スカベンジ効果によって排気側に吹き抜けてしまう可能性は低い。このため、エンジン２００が高回転及び高負荷状態でないと判定された場合（ステップＳ２０１：ＮＯ）、燃料噴射制御は行われず処理が終了する。即ち、燃料噴射は、スカベンジを行わない場合と同様の条件で行われることになる。
【００７５】
エンジン２００が高回転及び高負荷状態である場合（ステップＳ２０１：ＹＥＳ）、ＥＣＵ１００では、スカベンジ領域であるか否か（即ち、バルブタイミングがオーバーラップし、実際にスカベンジが行われているか否か）が判定される（ステップＳ２０２）。ここで、スカベンジ領域であると判定されると（ステップＳ２０２：ＹＥＳ）、上述した未燃燃料の排気側への吹き抜けを低減するために、以下に示す燃料噴射制御処理が実施されることになる。
【００７６】
燃料噴射制御処理では、先ず吸気ポートインジェクタ２１２ａによる燃料噴射が行われているか否かが判定される（ステップＳ２０３）。即ち、直噴インジェクタ２１２ｂのみで燃料噴射が行われていないか否かが判定される。ここで、吸気ポートインジェクタ２１２ａによる燃料噴射が行われていない場合（ステップＳ２０３：ＮＯ）、以下に示すステップＳ２０３及びステップＳ２０４に係る処理は省略される。
【００７７】
吸気ポートインジェクタ２１２ａによる燃料噴射が行われている場合（ステップＳ２０３：ＹＥＳ）、吸気ポートインジェクタ２１２ａ及び直噴インジェクタ２１２ｂの噴き分け率が、直噴インジェクタ２１２ｂの割合が高くなるように変更される（ステップＳ２０４）。より具体的には、吸気ポートインジェクタ２１２ａと比べて高い燃圧で燃料を噴射する直噴インジェクタ２１２ｂの割合が高くされることで、吸気ポートインジェクタ２１２ａ及び直噴インジェクタ２１２ｂから噴射される燃料全体としての燃圧が高められる。これにより、燃料の貫徹力を高めることが可能となる。
【００７８】
以下に、噴き分け率の具体的な変更方法について、図６を参照して説明する。ここに図６は、要求スカベンジ量と燃料噴き分け率との相関を示すグラフである。
【００７９】
図６において、要求スカベンジ量はΔｏｖｒｐｔｓｃａ、スカベンジ中の調整後の噴き分け率はｋｐｆｉｓｃａとして示されている。尚、噴き分け率ｋｐｆｉｓｃａは、例えば“１”から“０”までの値をとり、“１”の場合は全ての燃料が吸気ポートインジェクタ２１２ａから噴射されることを示す。また“０”の場合は、全ての燃料が直噴インジェクタ２１２ｂから噴射されることを示す。即ち、噴き分け率ｋｐｆｉｓｃａの値が高いほど、吸気ポートインジェクタ２１２ａから噴射される燃料の割合が大きくなる。
【００８０】
ここで、噴き分け率の基準値（即ち、燃料噴射制御を行わない場合の値）としてｋｐｆｉが与えられているとすると、スカベンジ中の調整後の噴き分け率ｋｐｆｉｓｃａは、基準値ｋｐｆｉに、補正値であるΔｋｐｆｉｓｃａを加算した値として表される。Δｋｐｆｉｓｃａは、図中の網掛け部分に相当する値であり、例えば以下に示す数式（１）を用いて算出される。
【００８１】
Δｋｐｆｉｓｃａ＝Ｋｋｐｆｉ×Δｏｖｒｐｔｓｃａ  ・・・（１）
尚、Ｋｋｐｆｉは、噴き分け率の補正係数であり、予め設定される値である。
【００８２】
以上のように、噴き分け率ｋｐｆｉｓｃａは、基準値であるｋｐｆｉに対して、要求スカベンジ量Δｏｖｒｐｔｓｃａに応じた補正量が加算されることで決定される。
【００８３】
図５に戻り、燃料噴射制御処理では更に、吸気ポートインジェクタ２１２ａによる燃料の噴射時期が調整される（ステップＳ２０５）。より具体的には、吸気ポートインジェクタ２１２ａによる燃料の噴射タイミングが吸気バルブ２１０の開弁時期に近づくよう遅角させられる。よって、吸気ポートインジェクタ２１２ａから噴射された燃料が閉じられた吸気バルブ２１０と干渉し、貫徹力が弱まってしまうことを低減できる。
【００８４】
以下に、吸気ポートインジェクタ２１２ａによる燃料の噴射時期の具体的な変更方法について、図７を参照して説明する。ここに図７は、要求スカベンジ量と吸気ポートへの燃料噴射時期との相関を示すグラフである。
【００８５】
図７において、要求スカベンジ量はΔｏｖｒｐｔｓｃａ、スカベンジ中の調整後の吸気ポートインジェクタ２１２ａによる燃料噴射時期はａｉｎｊｐｓｃａとして示されている。ここで、噴射時期の基準値（即ち、燃料噴射制御を行わない場合の値）としてａｉｎｊｐが与えられているとすると、スカベンジ中の調整後の燃料噴射時期ａｉｎｊｐｓｃａは、基準値ａｉｎｊｐに、補正値であるΔａｉｎｊｐｓｃａを加算した値として表される。Δａｉｎｊｐｓｃａは、図中の網掛け部分に相当する値であり、例えば以下に示す数式（２）を用いて算出される。
【００８６】
Δａｉｎｊｐｓｃａ＝Ｋａｐ×Δｏｖｒｐｔｓｃａ  ・・・（２）
尚、Ｋａｐは、噴射時期の補正係数であり、予め設定される値である。
【００８７】
以上のように、吸気ポートインジェクタ２１２ａによる燃料噴射時期ａｉｎｊｐｓｃａは、基準値であるａｉｎｊｐに対して、要求スカベンジ量Δｏｖｒｐｔｓｃａに応じた補正量が加算されることで決定される。
【００８８】
図５に戻り、燃料噴射制御処理では更に、直噴インジェクタ２１２ｂによる燃料の圧力が調整される（ステップＳ２０６）。このように噴射される燃料の圧力を高めれば、確実に燃料の貫徹力を高めることができる。尚、直噴インジェクタ２１２ｂの燃圧に加えて又は代えて、吸気ポートインジェクタ２１２ｂを高めるようにしてもよい。
【００８９】
以下に、直噴インジェクタ２１２ｂの燃圧の具体的な変更方法について、図８を参照して説明する。ここに図８は、要求スカベンジ量と直噴燃料の燃圧との相関を示すグラフである。
【００９０】
図８において、要求スカベンジ量はΔｏｖｒｐｔｓｃａ、スカベンジ中の調整後の燃圧はｅｐｒｓｃａとして示されている。ここで、燃圧の基準値（即ち、燃料噴射制御を行わない場合の値）としてｅｐｒｒｅｑが与えられているとすると、スカベンジ中の調整後の燃圧ｅｐｒｓｃａは、基準値ｅｐｒｒｅｑに、補正値であるΔｅｐｒｓｃａを加算した値として表される。Δｅｐｒｓｃａは、図中の網掛け部分に相当する値であり、例えば以下に示す数式（３）を用いて算出される。
【００９１】
Δｅｐｒｓｃａ＝Ｋｐ×Δｏｖｒｐｔｓｃａ  ・・・（３）
尚、Ｋｐは、燃圧の補正係数であり、予め設定される値である。
【００９２】
以上のように直噴インジェクタ２１２ｂによる燃料の圧力ｅｐｒｓｃａは、基準値であるｅｐｒｒｅｑに対して、要求スカベンジ量Δｏｖｒｐｔｓｃａに応じた補正量が加算されることで決定される。
【００９３】
図５に戻り、燃料噴射制御処理では更に、直噴インジェクタ２１２ｂによる分割噴射の分割回数が調整される（ステップＳ２０７）。直噴インジェクタ２１２ｂは、エンジン２００に供給すべき燃料を複数回に分割して噴射するように制御されている。ここで、分割噴射における分割回数を減らすようにすれば、直噴インジェクタ２１２ｂにおける１回当たりの噴射量は増加することになる。よって、噴射される燃料の圧力が高くなり、結果として燃料の貫徹力が高められる。
【００９４】
以下に、直噴インジェクタ２１２ｂの分割噴射回数の具体的な変更方法について、図９を参照して説明する。ここに図９は、要求スカベンジ量と分割噴射の回数との相関を示すグラフである。
【００９５】
図９において、要求スカベンジ量はΔｏｖｒｐｔｓｃａ、スカベンジ中の調整後の分割噴射回数はＮｍｕｌｔｉｓｃａとして示されている。ここで、分割噴射回数の基準値（即ち、燃料噴射制御を行わない場合の値）としてＮｍｕｌｔｉが与えられているとすると、スカベンジ中の調整後の分割噴射回数Ｎｍｕｌｔｉｓｃａは、基準値Ｎｍｕｌｔｉに、補正値であるΔＮｍｕｌｔｉｓｃａを加算した値として表される。ΔＮｍｕｌｔｉｓｃａは、図中の網掛け部分に相当する値であり、例えば以下に示す数式（４）を用いて算出される。
【００９６】
ΔＮｍｕｌｔｉｓｃａ＝Ｋｎ×Δｏｖｒｐｔｓｃａ  ・・・（４）
尚、Ｋｎは、分割噴射回数の補正係数であり、予め設定される値である。
【００９７】
以上のように直噴インジェクタ２１２ｂによる分割噴射回数Ｎｍｕｌｔｉｓｃａは、基準値であるＮｍｕｌｔｉに対して、要求スカベンジ量Δｏｖｒｐｔｓｃａに応じた補正量が加算されることで決定される。
【００９８】
燃料噴射制御処理では、上述したような燃料の貫徹力を高めるための各種処理が実行される。尚、上述したステップＳ２０４〜Ｓ２０７の処理は常に全てが行われる必要はなく、少なくとも１つの処理が行われるだけでも効果を発揮することができる。
【００９９】
以上説明したように、本実施形態に係る内燃機関の制御装置によれば、スカベンジ中の燃料の貫徹力が高められる。従って、未燃燃料の排気系への吹き抜け好適に低減することが可能である。
【０１００】
本発明は、上述した実施形態に限られるものではなく、特許請求の範囲及び明細書全体から読み取れる発明の要旨或いは思想に反しない範囲で適宜変更可能であり、そのような変更を伴う内燃機関の制御装置もまた本発明の技術的範囲に含まれるものである。
【符号の説明】
【０１０１】
１００…ＥＣＵ、１０１…エアクリーナ、１１０…コンプレッサ、１１３…インタークーラ、１２０…タービン、１２２…三元触媒、減筒制御部、１３０…フィルタ選択部、１４０…角速度検出部、１５０…フィルタ処理部、２００…エンジン、２０１…気筒、２０５…クランクシャフト、２０６…クランクポジションセンサ、２０７…吸気管、２０８…スロットル弁、２１０…吸気ポート２１１…吸気バルブ、２１２ａ…吸気ポートインジェクタ、２１２ｂ…直噴インジェクタ、２１３…排気バルブ、２１４…排気ポート、２１５…排気管、２１６ａ…吸気圧センサ、２１６ｂ…排気圧センサ、３１０…吸排気圧検出部、３２０…スカベンジ判定部、３３０…バルブタイミング制御部、３４０…貫徹力調整部、３４１…噴き分け率調整部、３４２…ＰＦＩ噴射時期調整部、３４３…ＤＩ燃圧調整部、３４４…ＤＩ分割回数調整部、３５０…燃料噴射制御部。
【図１】
0005786468.tif 000002
【図２】
0005786468.tif 000003
【図３】
0005786468.tif 000004
【図４】
0005786468.tif 000005
【図５】
0005786468.tif 000006
【図６】
0005786468.tif 000007
【図７】
0005786468.tif 000008
【図８】
0005786468.tif 000009
【図９】
0005786468.tif 000010